(57)【要約】【課題】  地震などの大きな揺れによる墓石の抜け落ちや倒壊を防止することができる墓石構造を備え、かつ、優れた耐震性および防湿性を有する納骨室を備えた墓を提供する。【解決手段】  外柵内の地面上に配された敷板部の上に載置された下台部と、該下台部の上に載置された上台部と、該上台部の上に載置された竿台部とからなる墓石を備えた墓において、下台部が下に底を有する下底孔を上面中央部に備え、竿台部が上に底を有する上底孔を下面中央部に備え、上台部が中央部の上面から下面まで貫通している貫通孔を備え、上底孔と、下底孔と、貫通孔とからなる空洞内に、下台部と、上台部と、竿台部とを連結固定するための１本の心棒が嵌挿された墓石構造にした。【選択図】図２
2006233682.tif 000002
【特許請求の範囲】
【請求項１】
外柵内の地面上に配された敷板部の上に載置された下台部と、該下台部の上に載置された上台部と、該上台部の上に載置された竿台部とからなる墓石を備えた墓であって、
前記下台部は、下に底を有する下底孔を上面中央部に備え、
前記竿台部は、上に底を有する上底孔を下面中央部に備え、
前記上台部は、中央部の上面から下面まで貫通している貫通孔を備え、
前記上底孔と、前記下底孔と、前記貫通孔とからなる空洞内には、前記下台部と、前記上台部と、前記竿台部とを連結固定するための１本の心棒が嵌挿されたことを特徴とする墓。
【請求項２】
前記竿台部の前記上底孔は、前記心棒が少なくとも前記竿台部の高さの３分の１まで嵌挿されるように形成された請求項１に記載の墓。
【請求項３】
前記上台部は、ホゾ凸部を上面中央部に備えるとともに、前記竿台部は、前記ホゾ凸部と嵌合するホゾ凹部を下面中央部に備えた請求項１または２に記載の墓。
【請求項４】
外柵内の地面上に配された敷板部の下側に、骨を収納するための平面四角枠状の納骨室を備えた墓であって、
前記納骨室は、該納骨室の四方の側壁を形成する胴石と、該胴石のうち左右の側壁を形成する左面胴石と右面胴石との間に前記左面胴石および前記右面胴石に対して平行に配された１対のカロート部材とを備え、
前記左面胴石と前記カロート部材との間、および、前記右面胴石と前記カロート部材との間には、それぞれ１または複数の補強部材が介在されたことを特徴とする墓。
【請求項５】
前記納骨室は、前記左面胴石と、前記右面胴石と、背面の側壁を形成する背面胴石とに、通気孔を備えた請求項４に記載の墓。
【発明の詳細な説明】
【技術分野】
【０００１】
本発明は、墓に関するものであり、特に地震が発生しても転倒や倒壊を防止するように改良された耐震構造を有する墓に関する。
【背景技術】
【０００２】
一般に、日本の墓石は、質量が大きい石材（例えば、花崗岩、安山岩、閃緑岩など）を複数個積み上げた形式が取られている。しかし、このように複数個の石材を積み上げた墓石構造は、耐震性が低く、地震の揺れにより倒壊する可能性があったため、従来より耐震性に優れた墓石構造が求められていた。
【０００３】
そこで、地震に弱い構造を克服するように改良した墓石構造が、例えば特許文献１に開示されている。図４は、その従来の耐震構造を有する墓石の一部切欠き側面図である。同図において、墓石２００は、基礎部２０１の上に設置された芝台部２０２と、該芝台部２０２の上に設置された中台部２０３と、該中台部２０３の上に設置された上台部２０４と、該上台部２０４の上に設置された棹部２０５とから構成されている。
【０００４】
そして、中台部２０３と上台部２０４とは、中台部２０３の上面中央部に開設された円穴２０３Ａと上台部２０４の下面中央部に開設された円穴２０４Ａとに、円柱状コアー２０６が嵌合されることによって、連結されている。
【０００５】
また、上台部２０４と棹部２０５も、上記と同様に、上台部２０４の上面中央部に開設された円穴２０４Ｂと棹部２０５の下面中央部に開設された円穴２０５Ｂとに、円柱状コアー２０７が嵌合されることによって、連結されている。
【０００６】
【特許文献１】実登３０１８７８７号公報
【発明の開示】
【発明が解決しようとする課題】
【０００７】
しかしながら、上記特許文献１の墓石構造では、円柱状コアー２０６，２０７の長さが短いため、大きな地震による激しい水平方向の揺れ受けた場合には、質量が大きい石材から形成された上台部２０４や棹部２０５は、慣性に耐えることができず、円柱状コアー２０６，２０７から抜けて倒壊してしまう恐れがあった。
【０００８】
仮に倒壊を免れたとしても、上台部２０４や棹部２０５が回転して定位置からずれてしまう可能性があり、このような被害が生じた場合に、被害者が質量の大きい墓石を自力で修復するのは困難であった。
【０００９】
また、近年の墓には、上記のような墓石の耐震構造に加え、納骨室（カロート）における耐震性、および、納骨室内のカビ等に対する防湿性の向上も求められていた。
【００１０】
そこで、本発明は、上記事情に鑑みてなされたものであり、その目的とするところは、地震などの大きな揺れによる墓石の抜け落ちや倒壊を防止することができる墓石構造を備え、かつ、優れた耐震性および防湿性を有する納骨室を備えた墓を提供することにある。
【課題を解決するための手段】
【００１１】
本発明の上記目的は、外柵内の地面上に配された敷板部の上に載置された下台部と、該下台部の上に載置された上台部と、該上台部の上に載置された竿台部とからなる墓石を備えた墓において、前記下台部が下に底を有する下底孔を上面中央部に備え、前記竿台部が上に底を有する上底孔を下面中央部に備え、前記上台部が中央部の上面から下面まで貫通している貫通孔を備え、前記上底孔と、前記下底孔と、前記貫通孔とからなる空洞内に、前記下台部と、前記上台部と、前記竿台部とを連結固定するための１本の心棒が嵌挿されたことにより、達成される。
【００１２】
また、上記目的は、前記竿台部の前記上底孔が、前記心棒が少なくとも前記竿台部の高さの３分の１まで嵌挿されるように形成されたことにより、効果的に達成される。
【００１３】
さらに、上記目的は、前記上台部が、ホゾ凸部を上面中央部に備えるとともに、前記竿台部が、ホゾ凹部を下面中央部に備えたことにより、効果的に達成される。
【００１４】
また、上記目的は、外柵内の地面上に配された敷板部の下側に、平面四角枠上に形成された骨を収納するための納骨室を備えた墓において、前記納骨室が、該納骨室の四方の側壁を形成する胴石と、該胴石のうち左右の側壁を形成する左面胴石と右面胴石との間に前記左面胴石および前記右面胴石に対して平行に配された１対のカロート部材とを備え、前記左面胴石と前記カロート部材との間、および、前記右面胴石と前記カロート部材との間には、それぞれ１または複数の補強部材が介在されたことにより、達成される。
【００１５】
さらに、上記目的は、前記納骨室が、前記左面胴石と、前記右面胴石と、背面の側壁を形成する背面胴石とに、通気孔を備えたことにより、効果的に達成される。
【発明の効果】
【００１６】
本発明に係る墓によると、墓石を構成する下台部、上台部、竿台部の３つの部材を１本の心棒によって連結固定するようにした。これにより、下台部から竿台部までが一体に連結されるので、地震などによる大きな揺れが生じても墓石の抜け落ちや倒壊を防止することができ、しかも、簡単な構造になっているので、墓石の組み立ておよび取り外しも容易に行うことができる。
【００１７】
また、心棒が竿台部の高さの３分の１以上嵌挿されることにより、水平方向の大きい横揺れが生じた場合でも、竿石部の抜け落ちや倒壊を防ぐことができる。
【００１８】
また、上台部と竿台部との連結面にホゾ加工を施したことにより、地震による揺れや結露などによって、竿石部が上台部に対してずれてしまうのを防止することができる。
【００１９】
また、本発明に係る墓によると、敷板部の下側に配された納骨室に、左右の側壁を構成する左面胴石および右面胴石と、この左面胴石と右面胴石との間に配された１対のカロート部材とを備え、左面胴石とカロート部材との間、および、右面胴石とカロート部材との間に、それぞれ１または複数の補強部材を介在した。これにより、納骨室における耐震性が向上し、地盤の移動や地震などによる横方向からの力を受けても、変形することなく倒壊を防止することができる。
【００２０】
さらに、左面胴石と、右面胴石と、背面胴石とに通気孔を設け、納骨室の空気が３方向に流れるようにした。これにより、納骨室内の空気の対流性が向上し、多湿によるカビの発生や結露を防止することができる。
【発明を実施するための最良の形態】
【００２１】
以下、図面を参照にしながら、本発明の実施形態について説明する。
【００２２】
図１は、本発明の実施形態に係る墓の外観を示す概略斜視図である。同図において、墓１は、外部の土地と区分けする境界として外柵２を備え、該外柵２内の中央の地面３上に敷板４が配されている。この敷板部４の上面には、墓石５が載置されており、一方、敷板部４の下側には、骨を収納するための平面四角形状の納骨室６が形成されている。
【００２３】
図２は、本発明の実施形態に係る墓石５の概略断面図である。同図において、墓石５は、敷板部４の上に載置された下台部７と、該下台部７の上に載置された上台部８と、該上台部８の上に載置された竿台部９とから構成されている。
【００２４】
下台部７の上面中央部には、下に底を有する下底孔７ａが形成されており、竿台部９の下面中央部には、上に底を有する上底孔９ａが形成されている。また、上台部８の中央部には、上面から下面まで貫通している貫通孔８ａが形成されている。そして、下底孔７ａと、貫通孔８ａと、上底孔９ａとからなる空洞には、１本の心棒１０が嵌挿されており、該心棒１０によって、下台部７と、上台部８と、竿台部９とが一体に連結固定されるようになっている。この心棒１０は、耐久性に優れ、錆び難い素材であるステンレスや真ちゅうなどのからなるものである。
【００２５】
ここで、墓石５のうち最も倒壊の可能性が高い竿石部９が抜け落ちたりしないように、竿台部９の上底孔９ａは、竿台部９の高さｈの３分の１以上の深さｄ（ｄ≧ｈ／３）を有し、心棒１０が少なくとも竿台部９の高さｈの３分の１まで嵌挿されるようになっている。
【００２６】
また、地震などの揺れによって竿台部９がずれてしまわないように、上台部８の上面中央部には、ホゾ凸部８ｂが形成されており、竿台部９の下面中央部には、ホゾ凸部８ｂに嵌合するホゾ凹部９ｂが形成されている。
【００２７】
以上のように、本実施形態に係る墓石によると、下台部７に下底孔７ａ、竿台部９に上底孔９ａを備えるとともに、上台部８に上面から下面まで貫通している貫通孔８ａを備え、下底孔７ａと、貫通孔８ａと、上底孔９ａとからなる空洞内に、下台部７と、上台部８と、竿台部９とを連結固定するための１本の心棒１０を嵌挿した構造になっている。これにより、下台部９から竿台部７までが一体に連結されるので、地震などによる大きな揺れが生じても墓石の抜け落ちや倒壊を防止することができる。
【００２８】
図３は、本発明の実施形態に係る納骨室６を斜め上方から見た概略斜視図である。同図において、納骨室６は、その四方の側壁を形成する胴石１１（前面胴石１１Ｆ，背面胴石１１Ｂ，左面胴石１１Ｌ，右面胴石１１Ｒ）と、該胴石１１のうち左右の側壁を形成する左面胴石１１Ｌと右面胴石１１Ｒとの間に、これらの胴石１１Ｌ，１１Ｒに対して平行に配された１対のカロート部材１２Ｌ，１２Ｒとを備え、この１対のカロート部材１２Ｌ，１２Ｒの間の空間が骨を収納するためのカロートになっている。なお、符号１２ｃ，１２ｃは、下台部７と、敷板部８と、カロート部材１２とを一体に連結固定するための連結棒（図示せず）が嵌挿される有底孔である。
【００２９】
そして、本実施形態では、納骨室６における耐震性を向上するために、左面胴石１１Ｌとカロート部材１２Ｌとの間、および右面胴石１１Ｌとカロート部材１２Ｒとの間に、それぞれ補助部材１３が介在されている。この補助部材１３は、納骨室の横（左右）方向の揺れに対する耐震性を向上させるために、左面胴石１１Ｌ、右面胴石１１Ｒ、およびカロート部材１２Ｌ，１２Ｒに対して垂直に配されている。なお、本実施形態では、左右に２つずつ、合計４つの補助部材１３が介在されているが、これに限定されず、左右対称になるように配されていれば、何個の補助部材が介在されていてもよい。
【００３０】
また、納骨室６の背面の側壁を形成する背面胴石１１Ｂと、左面胴石１１Ｌおよび右面胴石１１Ｒには、それぞれの側壁の中央上部に通気孔１４が備えられ、左面胴石１１Ｌおよび右面胴石１１Ｒに備えられた通気孔１４，１４の直線上に該当するカロート部材１２，１２には、切欠き１５，１５が形成されている。このように、納骨室６の３方向に通気孔１３が設けられることにより、納骨室６（特に、骨が収納されるカロート）内の空気の対流性が向上し、多湿によるカビの発生や結露を防止することができる。
【００３１】
以上、本発明の実施形態について具体的に説明してきたが、本発明はこれに限定されるものではなく、その趣旨を逸脱しない範囲で適宜変更可能である。
【図面の簡単な説明】
【００３２】
【図１】本発明の実施形態に係る墓の外観を示す概略斜視図である。
【図２】本発明の実施形態に係る墓石の概略断面図である。
【図３】本発明の実施形態に係る納骨室を斜め上方から見た概略斜視図である。
【図４】従来の耐震構造を有する墓石の一部切欠き側面図である。
【符号の説明】
【００３３】
１            墓
２            外柵
３            地面
４            敷板部
５            墓石
６            納骨室
７            下台部
７ａ          下底孔
８            上台部
８ａ          貫通孔
８ｂ          ホゾ凸部
９            竿台部
９ａ          上底孔
９ｂ          ホゾ凹部
１０            心棒
１１Ｂ          背面胴石
１１Ｌ          左面胴石
１１Ｒ          右面胴石
１２Ｌ，１２Ｒ  カロート部材
１３            補助部材
１４            通気孔
【図１】
2006233682.tif 000003
【図２】
2006233682.tif 000004
【図３】
2006233682.tif 000005
【図４】
2006233682.tif 000006